(57)【要約】【課題】  製造が容易で廉価に提供することができるばかりか従来のポケット型レジ袋に比べ更に使い勝手のよいポケット型レジ袋を提供する。【解決手段】  上方に開口部２９を形成した収容部２１の前記開口部２９の左右両端に手提げ部２２，２２を上方へ向けてそれぞれ延設して合成樹脂シートにより形成されたレジ袋本体２と、前記レジ袋本体２の外側面２３に少なくとも一辺を開口して差込口３２を形成した平面が矩形状で差込口を上方に向けて付設されたポケット部３が付設されており、ポケット部３の下部にはポケット部３とほぼ同形の表示部５が設けられている前記レジ袋本体２を前記ポケット部３へ向けて折り畳み、その折り畳み部を前記ポケット部３の一辺に形成した差込口３２からポケット内に差し込んで収納することにより全体を前記ポケット部３の大きさに折り畳み可能とした。【選択図】図１
2015174677.tif 000002
【特許請求の範囲】
【請求項１】
上方に開口部を形成した収容部の前記開口部の左右両端に手提げ部を上方へ向けてそれぞれ延設して合成樹脂シートにより形成されたレジ袋本体と、前記レジ袋本体の外側面に少なくとも一辺を開口して差込口を形成した平面が矩形状のポケット部が付設されており、前記レジ袋本体を前記ポケット部へ向けて折り畳み、その折り畳み部を前記ポケット部の一辺に形成した差込口からポケット内に差し込んで収納することにより全体を前記ポケット部の大きさに折り畳み可能としたポケット型レジ袋において、前記ポケット部は前記差込口を上方に向けて付設されていて、前記レジ袋本体を前記ポケット部が裏面となるように配置して、前記レジ袋本体を前記ポケット部の一方の縦辺に沿う折畳線に沿って内側に折り畳むとともに前記ポケット部のもう一方の縦辺に沿う折畳線に沿って内側に折り曲げてレジ袋本体の横幅を前記ポケット部の横幅に合わせて両サイドから折り畳み、折り畳んだ前記レジ袋本体を下方から上方向へと前記ポケット部の下縁に位置する折り畳み線から前記ポケット部とほぼ同形の表示部を残して前記ポケット部の縦幅と同等以下の縦幅に折り畳み、その折り畳んだレジ袋本体を前記ポケット部と表示部の配置部分に収まるように上方部と下方部をそれぞれ折り畳み、更にポケット部を下辺に沿って内側に折り畳んで表面に露出させ、前記折り畳んだレジ袋本体の下方部を差込口からポケット部に差し込みながらポケット部と同等の大きさに折り畳んだことを特徴とするポケット型レジ袋。
【請求項２】
前記レジ袋本体における前記ポケット部における固着側の横辺に沿って前記ポケット部の大きさの面積部分に所望の印刷またはシールによる各種の文字や図形など表示部が施されていることを特徴とする請求項１記載のポケット型レジ袋。
【発明の詳細な説明】
【技術分野】
【０００１】
本発明は、従来スーパーマーケットにおいて、買い物をしたときに商品を収容して運搬するために用いられる所謂レジ袋と称される収納袋に関し、特にポケットやカバンなどに収納するなど携行性に優れたポケット型レジ袋に関するものである。
【背景技術】
【０００２】
従来、スーパーマーケットやコンビニエンスストアなどで商品を購入する際にレジにおいて商品を収容して持ち帰るための所謂レジ袋が用いられている。
【０００３】
このレジ袋は、比較的安価に製造可能なばかりでなく強度も大きくきわめて軽量で嵩張らないことから買い物の商品を運ぶのに適しており、更に、使用後は、ゴミの収容袋などとしても再利用されておりきわめて便利であるが、近頃、店舗での無料配布が減少し、また、店舗での買い物以外の使用に対処するため携行可能なものが要望されている。
【０００４】
そして、レジ袋の携行を容易にした携帯用レジ袋が例えば特開２０００−２５９０１号公報、特開２００４−１４２９３５号公報などに提示されている。
【０００５】
しかしながら、前記公報に提示されている携帯用のレジ袋は、ポケットティシュのように折り畳んだレジ袋を取り出し口を有する外包袋に収容したものであり、まず第１に外包袋を必要とすることから材料費や製造が煩雑であること、第２に使用後に外包袋が残ることからこれを別途に処分する必要があるなどの問題点がある。
【０００６】
また、前記公報に提示されている携帯用レジ袋は、宣伝用の差し込みカードなどを用いることによりポケットティシュのように広告の媒体に使用し、販促品やノベルティグッズとして使用することが可能であるが、差し込みカードを予め折り畳んだレジ袋に重ねて外包袋内に収容する構成であり、製造が困難であるばかりか特定の差し込みカード毎に製品を製造する必要があり高価なものとなり兼ねない。
【０００７】
そこで、本願の出願人は特開２００９−２１４９０８号公報に安価で且つ製造が容易で廉価に提供することができるばかりか従来のもののように別体の外包袋を有しておらず、宣伝広告区機能も充分に発揮させることができ、特に、販促品やノベルティグッズとして使用することに適したものとすることができ、従って、外包袋の処理が必要なく、更に、宣伝広告機能にも優れたポケット型レジ袋を提案した。
【０００８】
このポケット型レジ袋は図５に示すように、レジ袋本体２と、このレジ袋本体２の収容部２１の外側面２３に付設されるポケット部３とから構成され、ポケット部３は、その一辺３１を前記レジ袋本体２における底辺の縁部２４に沿って配置される前記一辺３１の部分を差込口３２として前記レジ袋本体２の下端縁に沿って配置されており、図６（Ａ）に示すように前記レジ袋本体２を裏返して裏側面２４を向けて、ポケット部３の一方の縦辺３４に沿う折畳線ａに沿って内側に折り曲げ、次いで、図６（Ｂ）に示すよう前記ポケット部３のもう一方の縦辺３５に沿う折畳線ｂに沿って内側に折り曲げ、図６（Ｃ）に示すように前記レジ袋本体２の横幅Ｌ５を前記ポケット部３の横幅Ｌ３に合わせて折り畳み、次いで、図６（Ｄ）に示すように手提げ部２２，２２側から前記ポケット部３方向へと前記ポケット部３の縦幅Ｌ３に等しい間隔の折畳線ｃ，ｄに沿って順次、巻回して折り畳んで図６（Ｅ）の状態にし、次いで、図６（Ｆ）に示すように、巻上端２５を前記ポケット部３に沿う折曲線２６に沿って内側へ向けて折り畳み表側へ向けた前記ポケット部３内に差込口３２から差し込み、図６（Ｇ）に示すように全体が前記ポケット部３と同等の大きさに折り畳まれたポケット型のレジ袋１が形成され、その後、例えば所望の宣伝広告などを表示した例えば紙製の表示片４を前記差込口３２から前記ポケット部３に差し込み全体を前記ポケット部３の大きさにするものである。
【０００９】
この従来のポケット型レジ袋は前述のように、安価に且つ容易に製造が可能で携帯性にも優れて使い勝手もよいが、折り畳みの関係で前記ポケット部３の差込口３２がレジ袋本体２の下端縁に沿って配置されている。
【００１０】
従って、レジ袋本体２を展開した際に図５に示すようにポケット部３の差込口３２が下方を向くことになり、例えば折り畳んだ状態でポケット部３に差し込んであった表示片が展開したときに落下することになり、ポケット部３は単に折り畳んだレジ袋本体２を収容するだけの役目を担うだけであってポケットとしての機能を果たすことが困難であるという問題がある。
【先行技術文献】
【特許文献】
【００１１】
【特許文献１】特開２０００−２５９０１号公報
【特許文献２】特開２００４−１４２９３５号公報
【特許文献３】特開２００９−２１４９０８号公報
【発明の開示】
【発明が解決しようとする課題】
【００１２】
本発明は、上記のような問題点を解決しようとするものであり、製造が容易で廉価に提供することができるばかりか更に使い勝手のよいポケット型レジ袋を提供するものである。
【課題を解決するための手段】
【００１３】
前記課題を解決するためになされた本発明は、上方に開口部を形成した収容部の前記開口部の左右両端に手提げ部を上方へ向けてそれぞれ延設して合成樹脂シートにより形成されたレジ袋本体と、前記レジ袋本体の外側面に少なくとも一辺を開口して差込口を形成した平面が矩形状のポケット部が付設されており、前記レジ袋本体を前記ポケット部へ向けて折り畳み、その折り畳み部を前記ポケット部の一辺に形成した差込口からポケット内に差し込んで収納することにより全体を前記ポケット部の大きさに折り畳み可能としたポケット型レジ袋において、前記ポケット部は前記差込口を上方に向けて付設されていて、前記レジ袋本体を前記ポケット部が裏面となるように配置して、前記レジ袋本体を前記ポケット部の一方の縦辺に沿う折畳線に沿って内側に折り畳むとともに前記ポケット部のもう一方の縦辺に沿う折畳線に沿って内側に折り曲げてレジ袋本体の横幅を前記ポケット部の横幅に合わせて両サイドから折り畳み、折り畳んだ前記レジ袋本体を下方から上方向へと前記ポケット部の下縁に位置する折り畳み線から前記ポケット部とほぼ同形の表示部を残して前記ポケット部の縦幅と同等以下の縦幅に折り畳み、その折り畳んだレジ袋本体を前記ポケット部と表示部の配置部分に収まるように上方部と下方部をそれぞれ折り畳み、更にポケット部を下辺に沿って内側に折り畳んで表面に露出させ、前記折り畳んだレジ袋本体の下方部を差込口からポケット部に差し込みながらポケット部と同等の大きさに折り畳んだことを特徴とする。
【００１４】
本発明によれば、レジ袋本体を展開して使用状態としたときにポケットの差込口がレジ袋本体の開口部側、即ち、上方に位置するので、展開した使用時にポケットに予め収納した表示片が落下することなしに使用することができる。また、ポケット型に折り畳んだ状態で例えばチケットや整理券などを差し込んで配布したりした場合にそのまま展開しても落下して紛失してしまうこともないので表示片やチケットなどをポケットからはみ出した状態で収容するような使用方法も可能であり、勿論、展開した使用状態で例えばポケットにレシート、小銭、ポイントカードなど買い物や携帯に必要な小物などを収容して携行することも可能である。
【００１５】
また、本発明であるポケット型レジ袋は、前記レジ袋本体を前記ポケット部が裏面となるように配置して、前記レジ袋本体を前記ポケット部の一方の縦辺に沿う折畳線に沿って内側に折り畳むとともに前記ポケット部のもう一方の縦辺に沿う折畳線に沿って内側に折り曲げてレジ袋本体の横幅を前記ポケット部の横幅に合わせて両サイドから折り畳み、前記折り畳んだ前記レジ袋本体を下方から上方向へと前記ポケット部の下縁に位置する折り畳み線から前記ポケット部とほぼ同形の表示部を残して前記ポケット部の縦幅と同等以下の縦幅に折り畳み、その折り畳んだレジ袋本体を前記ポケット部と表示部の配置部分に収まるように上方部と下方部をそれぞれ折り畳み、更にポケット部を下辺に沿って内側に折り畳んで表面に露出させ、前記折り畳んだレジ袋本体の下方部を差込口からポケット部に差し込みながらポケット部と同等の大きさに折り畳むことにより、ポケットと同等の大きさに容易且つ確実に折り畳むことが可能であり、特に、ポケット型に折り畳んだレジ袋本体の手提げ部をポケット型の左右の開口部から引き出した状態として携行や保管などが可能である。
【００１６】
更に、本発明において、前記レジ袋本体における前記ポケット部における固着側の横辺に沿って前記ポケット部の大きさの面積部分に所望の印刷またはシールによる各種の文字や図形など表示部が施されている場合にはポケット型に折り畳んだときに表側に露出する表側表示部に各種の文字や図形などが表示できるので宣伝広告をはじめとして各種の表示を施すことにより利用度が増大する。
【発明の効果】
【００１７】
このように本願発明であるポケット型レジ袋は、製造が容易で廉価に提供することができるばかりか従来のもののように別体の外包袋を有しておらず、従って、外包袋の処理が必要ない。更に、宣伝広告機能にも優れているなどの諸効果を有することは言うまでもなく、特にポケットの差込口が使用時に上方に向くように配置されているので展開した使用時にポケットに差し込んだ表示片が落下したりすることがなく、また、使用時においてポケットに様々な物を安定した状態で差し込み、あるいは収容することができる。
【図面の簡単な説明】
【００１８】
【図１】本発明における実施の形態を示す展開した状態の斜視図。
【図２】図１に示した実施の形態の展開した状態からポケットサイズに折り畳んだ状態にするための工程を示す説明図。
【図３】図１に示した実施の形態の折り畳んだ状態の異なる使用例を示す説明図。
【図４】異なる実施の形態を示す斜視図。
【図５】従来例を示す展開した状態の斜視図。
【図６】図５に示した従来例の展開した状態からポケットサイズに折り畳んだ状態にするための工程を示す説明図。
【発明を実施するための最良の形態】
【００１９】
以下に、図面を参照して本発明を実施するための最良の形態を説明する。
【００２０】
図１は本発明の好ましい実施の形態を示すものであり、ポケット型レジ袋１は、前記図５および図６に示した従来のポケット型レジ袋と同様に、扁平な状態のレジ袋本体２と、このレジ袋本体２の一方の外側面２３に付設されるポケット部３とから構成される。
【００２１】
そして、前記レジ袋本体２はスーパーマーケットなどで配布されている従来周知のものと同様なものであって、上方に開口部２９を有する収容部２１の前記開口部２９の左右両端に手提げ部２２，２２を上方へ向けてそれぞれ一体に延設して例えばポリエチレンのような合成樹脂シートにより形成される。
【００２２】
また、前記レジ袋本体２における収容部２１の外側面２３に付設されるポケット部３は、例えば前記レジ袋本体２と同様なポリエチレンのような互いにヒートシールによる固着が可能な素材により形成された透明または半透明などのような透光性を有するシート材により形成され、例えばポケットティシュ程度の携行に便利な大きさの矩形状に形成され、その上辺３１を前記レジ袋本体２における収容部２１の開口部２９に沿って配置されるとともに、残りの３辺をヒートシールにより溶着させてポケット状とし、前記上辺３１の部分とレジ袋本体２の外側面２３とで差込口３２を前記レジ袋本体２の開口部２９側、即ち、レジ袋本体２の上方に向けて付設されている。
【００２３】
また、レジ袋本体２の外側面２３には、前記ポケット部３における固着側の下辺３３に沿って矩形状を呈するポケット部３とほぼ同じ形状並びに同じ大きさの面積部分に所望の印刷またはシールなどによる各種の文字や図形など表示部５が施されており、ポケット型に折り畳んだときに表側に露出する前記表示部５に各種の文字や図形などが表示できるので宣伝広告をはじめとして各種の表示を施すことにより利用度が増大する。
【００２４】
尚、本実施の形態ではレジ袋本体２の横幅Ｌ１がポケット部３の横幅Ｌ４のほぼ２倍、レジ袋本体２の縦幅Ｌ２がポケット部３の縦幅Ｌ３の約４倍の長さに形成されたサイズであるが、ポケット部３の大きさ並びにレジ袋本体２の大きさはこれに限るものでなく各種の大きさのものについて実施することができるものである。
【００２５】
図２は本実施の形態において前記図１に示した展開した状態のレジ袋本体２を折り畳んでポケット部３に収容してポケットサイズに形成する際の行程の一例を示すものであり、まず、図２（Ａ）に示した本発明であるポケット型レジ袋１を図２（Ｂ）に示すようにレジ袋本体２を前記ポケット部３を裏側となるようにして配置し、図２（Ｃ）に示すようにポケット部３の一方の縦辺３４に沿う折畳線ａに沿って内側に折り曲げ、次いで、図２（Ｄ）に示すようにポケット部３のもう一方の縦辺３５に沿う折畳線ｂに沿って内側に折り畳み、レジ袋本体２の横幅をポケット部３の横幅Ｌ４に合わせて両サイドから折り畳む。
【００２６】
次いで、図２（Ｅ）に示すように図２（Ｄ）に示した横幅をポケット部３の横幅Ｌ４に合わせて両サイドから折り畳んだレジ袋本体２を底側からポケット部方向へと前記ポケット部の下辺３３に沿う折畳線ｃと前記表示部５との間に前記ポケット部３とほぼ同形の縦幅Ｌ５が残るようにして複数回にわたって内側に折り畳み、その折り畳み片を前記ポケット部３の差込口３２に沿う折畳線ｄにおいて前記それぞれ縦方向内側に折り畳んだ手提げ部２２，２２を下方に向けて折り畳み（図２（Ｆ）に示す状態）、更に、前記ポケット部３の差込口３２に沿う折畳線ｅに沿って折り畳んで図２（Ｇ）に示すように前記ポケット部３の差込口３２がレジ袋本体２の下側折り畳み片２７と対峙した状態となるので、前記表示部５の下辺ｆに沿う折畳線ｅに沿って内側に折り畳むと同時に前記レジ袋本体２の下側折り畳み片２７を差込口３２から差し込み収容して図２（Ｈ）に示すようにポケット型レジ袋１が形成される。
【００２７】
そして、必要であれば、所望の宣伝広告などを表示した例えば紙製の表示片４を差込口３２からポケット部３に差し込み製品とする。
【００２８】
特に、本実施の形態ではレジ袋本体２には前記所定の位置に表示部５が施されているので図２（Ｉ）に示すように、ポケット型レジ袋１におけるポケット部３の裏側に例えば宣伝広告などのような所望の文字や図形、写真などが表示されることになり、更に宣伝、広告機能が発揮できる。
【００２９】
以上の構成を有する本実施の形態であるポケット型レジ袋１は前記図２（Ｈ），図（Ｉ）に示したポケット型に折り畳んだ状態で配布、販売あるいは携行されることになり、きわめてコンパクトであるという利便性を有している。そして、本実施の形態を使用するにはポケット部３に差し込んであるレジ袋本体２の下側折り畳み片２７をポケット部３から抜き取り、前記図２に示した折り畳み手順と逆の手順で展開するだけで図２（Ａ）に示した折り畳み前の使用状態に復帰するので従来のレジ袋と同様に使用すればよい。
【００３０】
特に、本実施の形態では、図５に示した従来のポケット型レジ袋１と異なり、ポケット部３が差込口３２を上方に向けて配置されるので、使用状態において、例えば、ポケット部３に差し込んでおいた表示片４などが抜け落ちる心配がない。
【００３１】
また、前記ポケット部３に買い物をした際のレシートやポイントカード、その他の小物を収容して使用することも可能であり、きわめて便利である。
【００３２】
更に、本実施の形態では、図３に示したように前記図２（Ｈ）において、ポケット部３の縦辺３４または３５と折り畳んだレジ袋本体２との間に形成される開口部から内部に折り畳まれている手提げ部２２，２２を引き出した状態として手に持ったり、あるいは壁面に配置したフックなどに掛けておくなど、更にはポケット部３に差し込む表示片４や表示部５へ所望の情報を表示することにより従来にない各種の用途について使用することが可能である。
【００３３】
図４は本発明の異なる実施の形態を示すものであり、全体の構成は図１に示した実施の形態とほぼ同様で且つ図２に示したような手順で折り畳み可能であるが、ポケット部３がレジ袋本体２の下方に位置している点が異なる。
【００３４】
本実施の形態は前記図１に示した実施の形態と異なり、ポケット部３がより下方に配置されているので異なるデザインや使い勝手を有している。
【００３５】
本発明は、図４に示すように、前記レジ袋本体２におけるポケット部３の下辺３３からレジ袋本体２の底辺２８までの長さＬ６が前記ポケット部３の縦幅Ｌ３よりも長くなるようにポケット部３が配置されていれば横方向を含めて取り付け位置は問わないので各種の用途に合わせてポケット部３を配置することが可能である。
【００３６】
尚、本実施の形態では、ポケット部３を例えば平面が従来のポケットティッシュと同程度の大きさとし、それに合わせて比較的単純な折り畳み行程で量産可能で且つ見栄えよく成形可能な大きさ（形状）のレジ袋本体２を使用したが、本発明は、上方を開口して形成した収容部２１の前記開口の左右両端に手提げ部２２，２２を上方へ向けてそれぞれ延設して合成樹脂シートにより形成されたレジ袋本体２と、前記レジ袋本体２の外側面２３に少なくとも一辺を開口して差込口３２を有するポケット部３が付設されており、前記レジ袋本体２を前記ポケット部３へ向けて折り畳み、その折り畳み部を前記ポケット部３の開口からポケット内に差し込んで収納することにより全体を前記ポケット部３の大きさとしたポケット型レジ袋１において、前記ポケット部３が前記レジ袋本体２の前記収容部２１の開口部２９に沿って前記差込口３２を前記開口部２９側に向けて付設されていればよく、基本的に、ポケット部３が付設されていない側に向けたレジ袋本体２の裏側に配置されるポケット部３の左右に位置する部分をそれぞれポケット部３の横幅内に収まるように折り畳み、その折り畳んだレジ袋本体２を前記ポケット部３と表示部５の部分に収まるように上方部（手提げ部）と下方部（底部）をそれぞれ折り畳み、最後に前記上方部（手提げ部）を前記ポケット部３の上辺３１に沿ってその内側に折り畳むとともに更にポケット部３を下辺３３に沿って内側に折り畳んで表面に露出させ、前記折り畳んだレジ袋本体の下方部（底部）を差込口３２からポケット部３に差し込みながらポケット部３と同等の大きさに折り畳めるものであればよい。
【符号の説明】
【００３７】
１  ポケット型レジ袋、２  レジ袋本体、３  ポケット部、４  表示片、５  表示部、２１  収容部、２２  手提げ部、２３  外側面、２４  周辺の縁部、２５  巻上端、２６  折曲線、２７  下側折り畳み片、２８  下辺、２９  開口部、３１  上辺、３２  差込口、３３  底辺、３４，３５  縦辺
【図１】
2015174677.tif 000003
【図２】
2015174677.tif 000004
【図３】
2015174677.tif 000005
【図４】
2015174677.tif 000006
【図５】
2015174677.tif 000007
【図６】
2015174677.tif 000008